(57)【要約】【課題】  あらゆる作業において着用する補強手袋において、手の血行を促進することによって、作業に支障を来さず、健康上も好ましい製品を提供する。【解決手段】  手の平部１０ａや甲部１０ｂの所望部分に、マイナスイオン及び遠赤外線、または磁力を放出する血流活性化ブロック１１を、内側に突出させないで設ける。また、手の平部１０ａや甲部１０ｂの所望部分に、血流活性化ブロック１１を、手袋本体と補強部材との間において、手袋本体の内面を面一とし、かつ、補強部材を外側に突出させた状態で設ける。【選択図】      図１
2007197878.tif 000002
【特許請求の範囲】
【請求項１】
あらゆる作業において着用する補強手袋であって、手の平部（１０ａ）や甲部（１０ｂ）の所望部分に，マイナスイオン及び遠赤外線，又は磁力を放出する血流活性化ブロック（１１）を所望数，内側に突出させないで設けてなることを特徴とする補強手袋。
【請求項２】
あらゆる作業において着用する補強手袋であって、メリヤス製の手袋本体（１３）の外面に，ゴムや塩化ビニールなどの軟質高分子材料である補強部材（１４）を設け、手の平部（１０ａ）や甲部（１０ｂ）の所望部分に，マイナスイオン及び遠赤外線，又は磁力を放出する血流活性化ブロック（１１）を，前記手袋本体と補強部材との間において，前記手袋本体の内面を面一とし，かつ，前記補強部材を外側に突出させた状態で設けてなることを特徴とする補強手袋。
【請求項３】
あらゆる作業において着用する補強手袋であって、メリヤス製の手袋本体（１３）の外面に，ゴムや塩化ビニールなどの軟質高分子材料である補強部材（１４）を設け、手の平部（１０ａ）や甲部（１０ｂ）の所望部分に，マイナスイオン及び遠赤外線，又は磁力を放出する血流活性化ブロック（１１）を，前記補強部材の外面と該外面に設ける高分子材料製の覆い片（１５）との間に，前記手袋本体の内面を面一とし，かつ，前記覆い片を外側に突出させた状態で設けてなることを特徴とする補強手袋。
【請求項４】
あらゆる作業において着用する補強手袋であって、メリヤス製の手袋本体（１３）の外面に，ゴムや塩化ビニールなどの軟質高分子材料である補強部材（１４）を設け、手の平部（１０ａ）や甲部（１０ｂ）の所望部分に，マイナスイオン及び遠赤外線，又は磁力を放出する血流活性化ブロック（１１）を，前記手袋本体の内面と該内面に設ける柔軟材製の被せ片（１６）との間に，前記被せ片の内面を面一とし，かつ，前記手袋本体および補強部材を外側に突出させた状態で設けてなることを特徴とする補強手袋。
【請求項５】
マイナスイオン及び遠赤外線を放出する，又は磁力を放出する粉粒体を混合した弾性合成樹脂又はゴムで血流活性化ブロック（１１）を構成したことを特徴とする請求項１〜４のいずれかに記載の補強手袋。
【請求項６】
血流活性化ブロック（１１）を発泡成形してなる請求項１〜５のいずれかに記載の補強手袋。
【請求項７】
マイナスイオン及び遠赤外線を放出する血流活性化ブロック（１１）が、ゲルマニウムより成ることを特徴とする請求項１〜６のいずれかに記載の補強手袋。
【請求項８】
磁力を放出する血流活性化ブロック（１１）が、磁石より成ることを特徴とする請求項１〜６のいずれかに記載の補強手袋。
【請求項９】
マイナスイオン及び遠赤外線を放出する血流活性化ブロック（１１）が、セラミックス遠赤外線放射材料の粉末と、自然放射性元素のトリウム又はウランを含有する放射性鉱物の粉末との混合物より成ることを特徴とする請求項１〜６のいずれかに記載の補強手袋。
【請求項１０】
前記手袋本体の外面に、ゴムや塩化ビニールなどの軟質高分子材料である補強部材を設ける手段として接着層を用いる場合には、その接着層中にも請求項７，８，９の粉粒体を混入させて、請求項１〜６のいずれかに記載の発明と組合わせて成る補強手袋。
【発明の詳細な説明】
【技術分野】
【０００１】
本発明は、あらゆる作業を行う際に、手を保護するために着用する補強手袋に関するものである。
【背景技術】
【０００２】
従来から、例えば、引っ越し作業や工事現場における各種作業を行う場合に、手を保護するために補強手袋が着用されている。この補強手袋は、一般に、メリヤス製の手袋本体と、その外面に設けられたゴムや塩化ビニール等の伸縮性に富む材料で形成された補強部材とで構成されている。
【発明の開示】
【発明が解決しようとする課題】
【０００３】
通常、こうした補強手袋を着用しての作業は屋外で行う場合が多いので、特に冬場などの低温環境においては、手の血行が阻害されて作業に支障を来たし、健康上も好ましくないといった問題がある。
【０００４】
本発明はこうした問題に鑑み創案されたもので、あらゆる作業において着用する補強手袋において、手の血行を促進することによって、作業に支障を来さず、健康上も好ましい製品を提供することを課題とする。
【課題を解決するための手段】
【０００５】
図１乃至図５を参照して説明する。請求項１に記載の発明は、あらゆる作業において着用する補強手袋であって、手の平部１０ａや甲部１０ｂの所望部分に、マイナスイオン及び遠赤外線、又は磁力を放出する血流活性化ブロック１１を所望数、内側に突出させないで設けてなることを特徴とする。
【０００６】
請求項２に記載の発明は、あらゆる作業において着用する補強手袋であって、メリヤス製の手袋本体１３の外面に、ゴムや塩化ビニールなどの軟質高分子材料である補強部材１４を設け、手の平部１０ａや甲部１０ｂの所望部分に、マイナスイオン及び遠赤外線、又は磁力を放出する血流活性化ブロック１１を、前記手袋本体１３と補強部材１４との間において、前記手袋本体１３の内面を面一とし、かつ、前記補強部材１４を外側に突出させた状態で設けてなることを特徴とするものである。
【０００７】
請求項３に記載の発明は、あらゆる作業において着用する補強手袋であって、メリヤス製の手袋本体１３の外面に、ゴムや塩化ビニールなどの軟質高分子材料である補強部材１４を設け、手の平部１０ａや甲部１０ｂの所望部分に、マイナスイオン及び遠赤外線、又は磁力を放出する血流活性化ブロック１１を、前記補強部材１４の外面と当該外面に設ける高分子材料製の覆い片１５との間に、前記手袋本体１３の内面を面一とし、かつ、前記覆い片１５を外側に突出させた状態で設けてなることを特徴とするものである。
【０００８】
請求項４に記載の発明は、あらゆる作業において着用する補強手袋であって、メリヤス製の手袋本体１３の外面に、ゴムや塩化ビニールなどの軟質高分子材料である補強部材１４を設け、手の平部１０ａや甲部１０ｂの所望部分に、マイナスイオン及び遠赤外線、又は磁力を放出する血流活性化ブロック１１を、前記手袋本体１３の内面と当該内面に設ける柔軟材製の被せ片１６との間に、前記被せ片１６の内面を面一とし、かつ、前記手袋本体１３および補強部材１４を外側に突出させた状態で設けてなることを特徴とするものである。
【０００９】
請求項５に記載の発明は、請求項１〜４のいずれかに記載の発明において、マイナスイオン及び遠赤外線を放出する、又は磁力を放出する粉粒体を混合した弾性合成樹脂又はゴムで血流活性化ブロック１１を構成したことを特徴とするものである。
【００１０】
請求項６に記載の発明は、血流活性化ブロック１１を発泡成形してなることを特徴とするものである。即ち、発泡によりブロック内に空隙が存在し、いわゆる表面積が拡大することになるので、特にマイナスイオン及び遠赤外線の放射率が向上する。
【００１１】
請求項７に記載の発明は、請求項１〜６のいずれかに記載の発明において、マイナスイオン及び遠赤外線を放出する血流活性化ブロック１１が、ゲルマニウムより成ることを特徴とするものである。すなわち、ゲルマニウムのみで血流活性化ブロック１１を形成することもできるし、また、その粉粒体を血流活性ブロック１１の一部とすることもできる。
【００１２】
請求項８に記載の発明は、請求項１〜６のいずれかに記載の発明において、磁力を放出する血流活性化ブロック１１が、磁石より成ることを特徴とするものである。すなわち、磁石のみで血流活性化ブロック１１を形成することもできるし、また、その粉粒体を血流活性ブロック１１の一部とすることもできる。
【００１３】
請求項９に記載の発明は、請求項１〜６に記載の発明において、マイナスイオン及び遠赤外線を放出する血流活性化ブロック１１が、セラミックス遠赤外線放射材料の粉末と、自然放射性元素のトリウム又はウランを含有する放射性鉱物の粉末との混合物より成ることを特徴とするものである。
【００１４】
請求項１０に記載の発明は、請求項１〜６のいずれかに記載の発明において、手袋本体１３の外面に、ゴムや塩化ビニールなどの軟質高分子材料である補強部材を設ける手段として接着層を用いる場合には、その接着層を形成する液の中に前もって請求項７，８，９の粉粒体を単独若しくは組合わせて混合し、前記請求項１〜６のいずれかに記載の発明との組合わせにより、より血流活性効果を向上させることを特徴とするものである。
【発明の効果】
【００１５】
請求項１に記載の補強手袋１０は、手の平部１０ａや甲部１０ｂの所望部分に、マイナスイオン及び遠赤外線、又は磁力を放出する血流活性化ブロック１１を所望数、内側に突出させないで設けたので、当該血流活性化ブロック１１のはたらきによって手の平部１０ａや甲部１０ｂのツボなどを刺激して血行を促進することができる。従って、補強手袋１０を着用することによって血行が促進され、冬場などの低温環境においても作業に支障を来さず、また、健康上も好ましい。
【００１６】
なお、磁力は血流を促して血行を促進する。また、遠赤外線は、同様に血流を良くして血行を促進すると共に温熱効果を発揮する。さらに、マイナスイオンは、疲労によって酸化した血液に作用して中性化し、体内の新陳代謝を活発化する。
【００１７】
また、血流活性化ブロック１１は、補強手袋１０の内側に突出させないで設けているので、突出部分が装着した手に当たってその手を傷めるといったことがない。従って、きわめて着用性に優れる。
【００１８】
また、血流活性化ブロック１１は、手の平部１０ａや甲部１０ｂの所望部分に設けるので、例えば、手の平部１０ａや甲部１０ｂのツボなどに部分的に設けると、例えば、補強手袋１０の全体あるいは大きな範囲にわたって設ける場合には、遠赤外線効果を出す為に一定の厚みが必要となる為、手袋がごわつき、着用感が悪くなるが、部分的であれば当該血流活性化ブロック１１によって手の動きが抑制されることがない。従って、通常の補強手袋と同様に容易に着用して使用することができる。
【００１９】
請求項２に記載の補強手袋１０は、請求項１に記載の発明と同様に、血流活性化ブロック１１のはたらきによって血行を促進するので、作業の支障を来さず、健康上も好ましい。
【００２０】
また、血流活性化ブロック１１を、手袋本体１３と補強部材１４との間において、手袋本体１３の内面を面一とし、かつ、補強部材１４を外側に突出させた状態で設けているので、血流活性化ブロック１１よって手袋本体１３が内側に突出し、それが手に当たり、その手を傷めてしまうといったことがない。従って、着用性に優れる。
【００２１】
なお、この補強手袋１０は、メリヤス製の手袋本体１３によって肌触りを良くして着用性を高め、ゴムや塩化ビニールなどの高分子材料である補強部材１４によって強靱性を確保している。
【００２２】
請求項３に記載の補強手袋１０は、請求項１および２に記載の発明と同様に、血流活性化ブロック１１のはたらきによって血行を促進し、作業の支障を来すことを防止し、健康上も好ましい。
【００２３】
また、血流活性化ブロック１１を、補強部材１４の外面とその外面に設ける高分子材料製の覆い片１５との間に、手袋本体１３の内面を面一とし、かつ、覆い片１５を外側に突出させた状態で設けているので、血流活性化ブロック１１によって手袋本体１３が突出し、その突出部分が手に当たってその手を傷めるといったことがない。
【００２４】
請求項４に記載の補強手袋１０は、請求項１乃至３に記載の発明と同様に、血流活性化ブロック１１の作用によって血行を促進するので、作業の支障を来すことが防止され、健康上の面からも好ましい。
【００２５】
また、血流活性化ブロック１１を、手袋本体１３の内面とその内面に設ける柔軟材製の被せ片１６との間に、当該被せ片１６の内面を面一とし、かつ、手袋本体１３および補強部材１４を外側に突出させた状態で設けているので、血流活性化ブロック１１によって被せ片１６が突出し、それが手に当たるといった弊害が発生しない。従って、手を傷めることがなく、着用性に優れる。
【００２６】
請求項５に記載の補強手袋１０は、請求項１〜４に記載のいずれかの発明において、マイナスイオン及び遠赤外線を放出する、又は磁力を放出する粉粒体を混合した弾性合成樹脂又はゴムで血流活性化ブロック１１を構成したので、所望の放出量及びサイズの血流活性化ブロック１１を容易に得ることができるし、弾性体は変形するので湾曲した部位にも容易に沿う形状となる。
【００２７】
請求項６に記載の補強手袋１０は、血流活性化ブロック１１を発泡形成してあるので、更に軟質で着用感に優れる。また血流活性化ブロック内に空隙が存在し、ブロックの表面積が拡大することとなるので、特にマイナスイオン及び遠赤外線の放射はその放射率が向上し、より血流活性の効果が向上する。
【００２８】
請求項７に記載の補強手袋１０は、請求項１〜６のいずれかに記載の発明において、マイナスイオン及び遠赤外線を放出する血流活性化ブロック１１を、ゲルマニウムで構成したので、請求項１〜６に記載の発明と同様の効果を発揮する。
【００２９】
請求項８に記載の補強手袋１０は、請求項１〜６のいずれかに記載の発明において、磁力を放出する血流活性化ブロック１１を磁石より構成したので、請求項１〜６に記載の発明と同様の効果を発揮する。
【００３０】
請求項９に記載の補強手袋１０は、請求項１〜６に記載の発明において、マイナスイオン及び遠赤外線を放出する血流活性化ブロック１１を、セラミックス遠赤外線放射材料の粉末と、自然放射性元素のトリウム又はウランを含有する放射性鉱物の粉末との混合物より構成したので、請求項１〜６に記載の発明と同様の効果を発揮する。
【００３１】
請求項１０に記載の補強手袋１０は、手袋本体１３の外面に、補強部材１４を設ける手段として接着層を用いる場合には、その接着層を形成する液の中に前もって請求項７，８，９の粉粒体を単独若しくは組合わせて混合し、前記請求項１〜６のいずれかに記載の発明との組合わせにより、接着層の被膜は薄いので、その血流効果は小さいが、血流活性化ブロックとの併用効果により、全体の効果がより向上する。
【発明を実施するための最良の形態】
【００３２】
本発明に係る補強手袋１０の第一実施形態を、図１および図２に示す。これは、引っ越し作業や工事現場等での作業において手を保護するために着用するものであり、メリヤス製の手袋本体１３の手の平部１０ａの外面に、天然ゴム製の補強部材１４を設けて構成したものである。
【００３３】
このメリヤス製の手袋本体１３は、ナイロン、エステル、綿などの糸でメリヤス編みした素材や、メリヤス状の生地を縫い合わせて手袋状とした素材によって形成することができる。また、補強部材１４は、ゴムの他に、塩化ビニールやゴムラテックス等の高分子材料で形成することができる。この場合、ゴム等の高分子シートを手袋本体１３に貼着または融着することもできるし、また、塩化ビニールやゴムラテックスなどの高分子液を塗布して乾燥させることもできる。
【００３４】
そして、手の平部１０ａの血行の促進を効果的に促す部分（ツボなど）に、薄板状の血流活性化ブロック１１を設けている。この血流活性化ブロック１１は、手袋本体１３と補強部材１４との間に、手袋本体１３の内面を面一とし、かつ、補強部材１４を外側に突出させた状態で設けている。
【００３５】
なお、血流活性化ブロック１１は、磁力を放出するもの、又は、マイナスイオン及び遠赤外線を放出するものとすることができるものを設けることができる他に、磁力を放出するものと、マイナスイオン及び遠赤外線を放出するものの両方を設けることもできる。また、補強部材１４を手袋本体１３の甲部１０ｂにも設け、そこに血流活性化ブロック１１を設けることもできる。
【００３６】
この補強手袋１０は、血流活性化ブロック１１から放出される磁力のはたらきによって手の血行が促進される。従って、例えば、冬場の低温環境においても手の血行が促進されて動き易くなり、作業性が向上する。また、血行が促進されることにより、手が暖められ、健康上も好ましい。さらに、手袋本体１３の内面を、血流活性化ブロック１１によって突出させることなく面一としているので、突出部分が手に当たって当該手を傷めるといったことがない。従って、着用性に優れる。
【００３７】
この補強手袋１０は、次のようにして成形することができる。すなわち、まず、手袋本体１３の手の平部１０ａの外面に、未加硫ゴムシートを貼り付け、あるいは液状ゴム等を塗布した後、乾燥させる。次に、この手袋を手金型１に嵌着した状態で熱加硫成形するが、その際、血流活性化ブロック１１を、手の平部１０ａの血行促進のツボにあたる部分に、手袋本体１３と補強部材１４との間に配置して設ける。この熱加硫成形によって、血流活性化ブロック１１を配置した部分の補強部材１４は、熱可塑変形して外側に突出するが、手金型１に当接している手袋本体１３の内面は、突出することなく面一に形成される。これにより、手袋本体１３の内面が面一で、かつ、補強部材１４を外側に突出させた補強手袋１０を製造することができる。
【００３８】
本発明に係る補強手袋１０の第二実施形態を、図１および図３に示す。本実施形態に係る補強手袋１０も、引っ越し作業や工事現場での作業において着用するものであり、メリヤス製の手袋本体１３の手の平部１０ａの外面に、ゴムや塩化ビニールなどの軟質高分子材料である補強部材１４を設けている。
【００３９】
そして、手の平部１０ａの所望部分に、血流活性化ブロック１１を、補強部材１４の外面とその外面に設けるゴムや塩化ビニールなどの高分子材料で成形した覆い片１５との間に、手袋本体１３の内面を面一とし、かつ、覆い片１５を外側に突出させた状態で設けている。
【００４０】
この補強手袋１０も、血流活性化ブロック１１のはたらきによって血行を促すので、手の動きが活発化され、作業に支障を来すことがない。また、手が暖まり、健康上も好ましい。また、手袋本体１３を突出させることなく面一としているので、突出部分が手に当たることがなく、着用性に優れる。
【００４１】
なお、この補強手袋１０も第一実施形態のものと同様に、手金型１に装着し、熱加硫成形によって成形するが、それに先立ち、血流活性化ブロック１１を、補強部材１４の外面に配置し、その外側から覆い片１５を被せて接着剤やホットメルトで貼着する。これにより、手袋本体１３の内面を面一に形成することができる。
【００４２】
本発明に係る補強手袋１０の第三実施形態を、図１および図４に示す。
この補強手袋１０も、引っ越し作業や工事現場での作業などにおいて着用するものであり、メリヤス製の手袋本体１３の手の平部１０ａの外面に、ゴムや塩化ビニールなどの軟質高分子材料である補強部材１４を設けている。
【００４３】
また、その手の平部１０ａの所望部分に、血流活性化ブロック１１を、手袋本体１３の内面と当該内面に設ける柔軟材製の被せ片１６との間に、当該被せ片１６の内面を面一とし、かつ、手袋本体１３および補強部材１４を外側に突出させた状態で設けている。この被せ片１６は、メリヤス製の布片で形成している。
【００４４】
この補強手袋１０も、血流活性化ブロック１１のはたらきによって手の血行を促進することができる。また、被せ片１６の内面を突出させることなく面一としているので、手に当たって当該手を傷めるといったことがない。
【００４５】
当該補強手袋１０の成形も手金型１を用いて行うが、熱加硫成形に先立ち、手袋本体１３の内面に血流活性化ブロック１１を配置し、その内側から被せ片１６を配して接着剤やホットメルトで貼着して血流活性化ブロック１１を固定する。これにより、被せ片１６を手袋本体１３の内面と面一とすることができる。
【００４６】
なお、図５に示すように、血流活性化ブロック１１は、補強部材１４を熱加硫成形した後に、手袋本体１３の内面に取り付けることができる。その場合、手金型１の血流活性化ブロック１１を設ける部分に凸部１ａを設けて熱加硫成形することにより、手袋本体１３に取付凹部１３ａを形成することができる。そして、血流活性化ブロック１１を、この取付凹部１３ａに貼着等によって固定することができる。なお、この血流活性化ブロック１１の内側に被せ片１６を設ければ、血流活性化ブロック１１が直接手に接することを防げるので、手を傷めることがない。
【００４７】
なお、マイナスイオン及び遠赤外線を放出する、又は磁力を放出する血流活性化ブロック１１の形状は限定されず、円形、楕円形、矩形、球状及びそれらの組み合わせの他に、図６に示すように、角部を丸めた長方形板２０に複数の透孔２１を穿設した形状や、図７に示すように、十字状板の各先端部分を円弧状としたものなど、目的に応じた形状とすることができる。
【図面の簡単な説明】
【００４８】
【図１】本発明に係る補強手袋を示すもので、（ａ）は手の平部、（ｂ）は手の甲部を示す正面図である。
【図２】本発明に係る補強手袋の第一実施形態の成形方法を示すもので、図１のＸ−Ｘ線に相当する断面図である。
【図３】本発明に係る補強手袋の第二実施形態の成形方法を示すもので、図１のＸ−Ｘ線に相当する断面図である。
【図４】本発明に係る補強手袋の第三実施形態の成形方法を示すもので、図１のＸ−Ｘ線に相当する断面図である。
【図５】本発明に係る補強手袋の第三実施形態の他の成形方法を示すもので、図１のＸ−Ｘ線に相当する断面図であり、（ａ）は手金型に嵌着している状態を示し、（ｂ）は手金型から外した状態を示す。
【図６】血流活性化ブロックの形状の一態様を示す斜視図である。
【図７】血流活性化ブロックの形状の他の態様を示す斜視図である。
【符号の説明】
【００４９】
１          手金型
１ａ        凸部
１０        補強手袋
１０ａ      手の平部
１０ｂ      手の甲部
１１        血流活性化ブロック
１３        手袋本体
１３ａ      取付凹部
１４        補強部材
１５        覆い片
１６        被せ片
２０        長方形板
２１        透孔
【図１】
2007197878.tif 000003
【図２】
2007197878.tif 000004
【図３】
2007197878.tif 000005
【図４】
2007197878.tif 000006
【図５】
2007197878.tif 000007
【図６】
2007197878.tif 000008
【図７】
2007197878.tif 000009